(57)【要約】【課題】  ユーザ定義された表示を有するハンドヘルド測定機器を提供する。【解決手段】  ユーザが定義可能な表示を有するハンドヘルド測定機器。ハンドヘルド測定機器は、ワークピースの精密な物理的寸法の測定に利用し得る可搬性測定ゲージ（例えば、デジタルキャリパー、デジタルダイヤルゲージ、高さゲージ、マイクロメータ、インジケータ等）であり得る。表示は、様々な精密測定用途での顧客の個々のニーズに従って独立して変更し得る。リモート装置（例えば、ＰＣ、ラップトップ、タブレット、スマートフォン等）は表示の再構成に利用し得、ユーザは、リモート装置上の表示形式構成を選択し、変更することができる。リモート装置が可搬式測定ゲージに結合される場合、ゲージディスプレイは、定義された表示形式構成と同様の外観を有するように再構成される。特定の実施形態では、音声コマンドを再構成し得、ゲージディスプレイの制御に使用し得る。【選択図】図１
2014032195.tif 000002
【特許請求の範囲】
【請求項１】
物体の１つ又は複数の物理的寸法を測定する第１の可搬式測定ゲージであって、前記第１の可搬式測定ゲージにより実行されたワークピース測定に基づいて測定情報を表示するゲージディスプレイを備えた第１の可搬式測定ゲージと、
有線又は無線接続のうちの少なくとも一方により、少なくとも前記第１の可搬式測定ゲージに結合することができるリモート装置であって、リモートメモリ及びリモートディスプレイを備えたリモート装置と、を有し、
前記ゲージディスプレイは表示構成を変更可能であり、
前記リモートメモリは１つ又は複数の表示形式選択肢を記憶し、前記表示形式選択肢は、前記リモートディスプレイに表示形式構成で表現されるように選択可能であり、
前記リモート装置は、前記第１の可搬式測定ゲージに結合され、ユーザが、前記リモート装置を使用して表示形式構成を定義した場合、前記第１の可搬式測定ゲージに、前記定義された表示形式構成に基づいて前記ゲージディスプレイの表示を再構成するように命令する、システム。
【請求項２】
前記リモート装置は、ＰＣ、ラップトップ、タブレット、又はスマートフォンのうちの１つである、請求項１に記載のシステム。
【請求項３】
少なくとも１つの表示形式選択肢は、前記ワークピース測定に関連するか、又は前記ワークピース測定を表す表示上の数字又は文字のうちの少なくとも１つのサイズ、位置、向き、色、又は単位の変更のうちの少なくとも１つを制御する、請求項１に記載のシステム。
【請求項４】
少なくとも１つの表示形式選択肢は、少なくとも１つの視覚的インジケータの追加を表す、請求項１に記載のシステム。
【請求項５】
少なくとも１つの表示形式選択肢は、前記リモート装置でユーザにより変更され、次に、前記ゲージディスプレイに表現し得る機能を表す、請求項１に記載のシステム。
【請求項６】
少なくとも１つの表示形式選択肢は、測定データのグラフィカル表示を表す、請求項１に記載のシステム。
【請求項７】
少なくとも１つの表示形式選択肢は、前記第１の可搬式測定ゲージにより実行される複数のワークピース測定の統計学的表示を表す、請求項１に記載のシステム。
【請求項８】
前記第１の可搬式測定ゲージの少なくとも１つの内部特徴が、前記リモート装置にダウンロードされて、前記リモート装置に提示されている少なくとも１つの表示形式選択肢をアクティブ化又は非アクティブ化する、請求項１に記載のシステム。
【請求項９】
前記第１の可搬式測定ゲージの少なくとも１つの内部特徴が、前記リモート装置にダウンロードされて、前記リモート表示の表示形式構成において模倣される、請求項１に記載のシステム。
【請求項１０】
前記内部特徴は、前記リモート表示に前記表示形式構成内で対応する色で表現される前記ゲージディスプレイ上の色である、請求項９に記載のシステム。
【請求項１１】
前記リモート表示上の前記表示形式構成は、前記第１の可搬式測定ゲージが、任意の測定動作に応答する挙動を前記リモート表示上の前記表示形式構成で閲覧可能なように使用される場合、動作可能である、請求項１に記載のシステム。
【請求項１２】
前記第１の可搬式測定ゲージが、前記ゲージディスプレイの表示又は前記リモート表示のうちの一方での変更が他方の表示でリアルタイムで模倣されるように前記リモート装置に結合された場合、リアルタイムリンクを確立することができる、請求項１に記載のシステム。
【請求項１３】
前記第１の可搬式測定ゲージは、ユーザからの音声コマンドを感知可能な音声入力要素をさらに含み、前記リモート装置は、音声コマンドを表示形式選択肢にさらに関連付け、前記表示形式選択肢及び前記関連付けられた音声コマンドは、前記関連付けられた音声コマンドが前記第１の可搬式測定ゲージの前記音声入力要素により感知された場合、前記ゲージディスプレイが前記関連付けられた表示形式選択肢に従って制御されるように、前記第１の可搬式測定ゲージにダウンロードすることができる、請求項１に記載のシステム。
【請求項１４】
前記関連付けられた音声コマンドは、前記可搬式測定ゲージにより実行されるワークピース測定に関連するか、又は前記ワークピース測定を表す表示上の数字又は文字のうちの少なくとも１つのサイズ、位置、向き、色、又は単位の変更、又は前記表示への少なくとも１つの視覚的インジケータの追加のうちの少なくとも１つを制御する、請求項１３に記載のシステム。
【請求項１５】
物体の１つ又は複数の物理的寸法を測定する少なくとも１つの第２の可搬式測定ゲージをさらに備え、前記第２の可搬式測定ゲージは、表示構成を変更可能であり、当該第２の可搬式測定ゲージにより実行されるワークピース測定に基づいて測定情報を表示するゲージディスプレイを備え、
前記リモート装置は、有線又は無線接続のうちの少なくとも一方により前記第２の可搬性測定ゲージに結合されるようにさらに構成され、
ユーザが、前記リモート装置を使用して前記第１の可搬式測定ゲージの表示形式構成を定義する場合、前記リモート装置は、前記第２の可搬式測定ゲージに、前記第２の可搬式測定ゲージの前記ゲージディスプレイの表示を、前記定義された表示形式構成に基づいて再構成するように命令するようにさらに構成される、請求項１に記載のシステム。
【請求項１６】
前記可搬式測定ゲージは、デジタルキャリパー、デジタルダイヤルゲージ、高さゲージ、マイクロメータ、又はインジケータのうちの１つである、請求項１から１５のいずれか１項に記載のシステム。
【請求項１７】
前記リモート装置は、前記第１の可搬式測定ゲージに、前記定義された表示形式構成と同様の外観を有するように前記ゲージディスプレイの表示を再構成するように命令する、請求項１から１６のいずれか１項に記載のシステム。
【請求項１８】
物体の１つ又は複数の物理的寸法を測定する第１の可搬式測定ゲージであって、前記第１の可搬式測定ゲージにより実行されたワークピース測定に基づいて測定情報を表示するゲージディスプレイを備えた第１の可搬式測定ゲージと、
有線又は無線接続のうちの少なくとも一方により、少なくとも前記第１の可搬式測定ゲージに結合することができるリモート装置であって、リモートメモリ及びリモートディスプレイを備えたリモート装置と、
を有するシステムを制御するコンピュータを、
前記ゲージディスプレイの表示構成を変更可能にする手段、
前記リモートメモリに１つ又は複数の表示形式選択肢を記憶させ、前記表示形式選択肢を、前記リモートディスプレイに表示形式構成で表現されるように選択可能にする手段、
ユーザが、前記リモート装置を使用して表示形式構成を定義した場合、前記第１の可搬式測定ゲージに、前記定義された表示形式構成に基づいて前記ゲージディスプレイの表示を再構成するように命令する手段、
として機能させるためのプログラム。
【発明の詳細な説明】
【技術分野】
【０００１】
本発明は、ハンドヘルド測定機器に関する。
【背景技術】
【０００２】
表示を有するハンドヘルド測定機器の一種が可搬式測定ゲージである。特定の種類の可搬式測定ゲージ（例えば、デジタルキャリパー、デジタルダイヤルゲージ、高さゲージ、マイクロメータ、インジケータ等）は、ワークピースの精密な物理的寸法（例えば、マイクロメートル又はサブマイクロメートルレベル）の測定に利用し得る。
【発明の概要】
【発明が解決しようとする課題】
【０００３】
そのような装置の表示部分は通常小さく、多くの場合、比較的固定された形式であり、ユーザはせいぜい、事前定義された異なる表示モード間で切り替えることしかできない。ユーザが、個々のニーズに従ってそのような表示の外観及び機能を独立して変更可能なことが必要とされる。
【課題を解決するための手段】
【０００４】
一態様によれば、リモート装置を利用して、可搬式測定ゲージの表示を再構成する。可搬式測定ゲージは、精密測定機器（例えば、デジタルキャリパー、デジタルダイヤルゲージ、高さゲージ、マイクロメータ、インジケータ等）であり得る。可搬式測定ゲージは、物体の１つ又は複数の物理的寸法を測定し、可搬式測定ゲージにより実行されるワークピース測定に基づいて測定情報を表示するゲージディスプレイを含み、ゲージディスプレイの表示構成は変更可能である。リモート装置は、任意の数の異なる種類の計算装置（例えば、ＰＣ、ラップトップ、タブレット、スマートフォン等）であり得る。リモート装置は、有線又は無線接続のうちの少なくとも一方により可搬式測定ゲージに結合することができ、リモートメモリ及びリモートディスプレイを含む。リモートメモリは、リモートディスプレイに表示形式構成を表現するように選択可能な１つ又は複数の表示形式選択肢を記憶する。リモート装置が可搬式測定ゲージに結合され、ユーザがリモート装置を使用して表示形式構成を定義した場合、リモート装置は、可搬式測定ゲージに、定義された表示形式構成に基づいてゲージディスプレイの表示を再構成するように、例えば定義された表示形式構成と同様の外観を有するように再構成するよう命令する。
【０００５】
別の態様によれば、少なくとも１つの表示形式選択肢は、可搬式測定ゲージにより実行されるワークピース測定に関連するか、又はワークピース測定を表す表示上の少なくとも１つの数字又は文字のサイズ、位置、向き、色、又は単位の変更のうちの少なくとも１つを制御し得る。少なくとも１つの表示形式選択肢は、少なくとも１つの視覚的インジケータの追加を表し得る。少なくとも１つの表示形式選択肢は、リモート装置でユーザにより変更し、次に、ゲージディスプレイに表現し得る。少なくとも１つの表示形式選択肢は、測定データのグラフィカル表示を表現し得る。少なくとも１つの表示形式選択肢は、可搬式測定ゲージにより実行される複数のワークピース測定の統計学的表示を表現し得る。
【０００６】
別の態様によれば、可搬式測定ゲージの少なくとも１つの内部特徴をリモート装置にダウンロードして、リモート装置に提示されている少なくとも１つの表示形式選択肢をアクティブ化又は非アクティブ化し得る。可搬式測定ゲージの少なくとも１つの内部特徴をリモート装置にダウンロードして、リモート装置の表示形式構成を模倣させ得る。例えば、内部特徴は、リモート装置の表示形式構成内で対応する色で表現されるゲージディスプレイ上の色であり得る。一実施形態では、リモート装置は、所望の場合には前の構成に戻ることができるように、可搬式測定ゲージの表示の現在の特徴セットをダウンロードして保存し得る。
【０００７】
別の態様によれば、リモートディスプレイ上の表示形式構成は、可搬式測定ゲージが、任意の測定動作に応答する挙動をリモートディスプレイ上の表示形式構成で閲覧可能なように使用される場合、動作可能である。より一般的には、可搬式測定ゲージが、ゲージディスプレイの表示又はリモートディスプレイの表示のうちの一方での変更が他方の表示でリアルタイムで模倣されるようにリモート装置に結合された場合、リアルタイムリンクを確立することができる。
【０００８】
別の態様によれば、リモート装置は、有線又は無線接続のうちの少なくとも一方により第１の可搬性測定ゲージと、第１の可搬性測定ゲージのゲージディスプレイと同様の構成可能なゲージディスプレイを含む少なくとも１つの第２の可搬性測定ゲージとに結合するように構成し得、ユーザが、本明細書に概説されるように、リモート装置を使用して第１の可搬性測定ゲージの表示形式構成を定義する場合、リモート装置は、第２の可搬式測定ゲージに、定義された表示形式構成に基づいて第２の可搬性測定ゲージのゲージディスプレイの表示を再構成して、例えば第１の可搬式測定ゲージの定義された表示形式構成と同様の外観を有するように命令するようにさらに構成される。
【０００９】
別の態様によれば、可搬式測定ゲージは、ユーザからの音声コマンドを感知可能な音声入力要素をさらに含む。ユーザは、リモート装置に音声コマンドを記録し、動作コマンド（例えば、表示形式選択肢）を記録された音声コマンドに割り当て得る。次に、表示形式選択肢及び関連付けられた音声コマンドを可搬式測定ゲージにダウンロードし得る。次に、動作に際して、関連付けられた音声コマンドが、可搬式測定ゲージの音声入力要素により感知される場合、ゲージディスプレイは、関連付けられた表示形式選択肢に従って制御される。特定の例示的な例として、ユーザは「単位変更」する音声コマンドを記録し得、ゲージディスプレイの表示はインチからｍｍに変更される。
【００１０】
本発明の様々な実施形態について以下に説明する。以下の説明は、完全な理解及びこれらの実施形態を可能にする説明のために、特定の詳細を提供する。しかし、これらの詳細の多くがなくとも、本発明を実施し得ることを当業者は理解しよう。さらに、いくつかの周知の構造又は機能については、様々な実施形態の関連する説明を不必要に曖昧にしないように、詳細に示さず、又は説明しないものがある。以下に提示される説明で使用される用語は、本発明の特定の具体的な実施形態の詳細な説明と併せて使用されるにもかかわらず、最も広義で妥当に解釈されることが意図される。
【図面の簡単な説明】
【００１１】
【図１】可搬式測定ゲージ及びリモート装置を含むシステムのブロック図である。
【図２】リモート装置の表示に同期された可搬式測定ゲージの表示を示す図である。
【図３】可搬式測定ゲージの様々な表示形式構成を示す図である。
【図４】リモート装置を利用して、可搬式測定ゲージの表示を再構成するルーチンの例示的な一実施形態を示す流れ図である。
【図５】特定の表示形式選択肢例を示すルーチンの例示的な一実施形態を示す流れ図である。
【図６】可搬式測定ゲージを再構成する音声コマンドを記録するルーチンの例示的な一実施形態を示す流れ図である。
【発明を実施するための形態】
【００１２】
図１は、可搬式測定ゲージ１０５及びリモート装置１５５を含む表示構成システム１００のブロック図である。可搬式測定ゲージ１０５は精密測定機器（例えば、デジタルキャリパー、デジタルダイヤルゲージ、高さゲージ、マイクロメータ、インジケータ等）であり得、リモート装置１５５は、任意の種類の計算装置（例えば、ＰＣ、ラップトップ、タブレット、スマートフォン等）であり得る。図１に示されるように、可搬式測定ゲージ１０５は、センサ部１１０、メモリ部１１５、信号処理・制御ユニット１２０、表示部（ゲージディスプレイ）１２５、ユーザ制御要素１３０、音声認識部１３５、電源１４０、及び外部データ／制御インタフェース１４５を含む。可搬式測定ゲージ１０５の様々な部分は、１つ又は複数の電力バス接続及び信号バス接続により、又は個々の専用接続により相互接続し得る。所望であれば、様々な信号相互接続を無線及び／又は光学手段で行い得る。
【００１３】
センサ部１１０は、測定中のワークピースの物理的寸法の感知に利用される要素を含む。メモリ部１１５は記憶媒体を含み、様々なシステム構成パラメータ及び／又は動作命令若しくはルーチンの保存並びに所望であれば、様々な測定結果及び／又はユーザ作成の測定ルーチンの保存に記憶媒体を使用し得る。装置により行われた測定をメモリ部１１５に保存してもよいことが理解されよう。様々な例示的な実施形態では、メモリ部１１５はＲＯＭ及び／又はＲＡＭメモリを含み得、信号処理・制御ユニット１２０と統合してもよく、又は区別可能であってもよい。
【００１４】
信号処理・制御ユニット１２０は、可搬式測定ゲージ１０５の一般的な動作を制御し、出力を表示部１２５に提供する。より詳細に後述するように、表示部１２５は、可搬式測定ゲージ１０５により実行されるワークピース測定に基づいて、測定情報を示す構成可能なゲージディスプレイの表示を提供する。ユーザ制御要素１３０は、ユーザが、可搬式測定ゲージ１０５の動作を制御できるようにする（例えば、制御ボタン、タッチスクリーン等）。
【００１５】
（任意選択的な）音声認識部１３５は、様々な音声コマンドを受信して解釈するのに十分なマイクロホン及び回路を含み、対応する信号を信号処理・制御ユニット１２０を提供し得る。一般に、音声認識部１３５は、本明細書において様々な手動及び／又は視覚的なユーザ制御要素に関連して説明される様々な動作を含む、可搬式測定ゲージ１０５の動作に必要であり得る任意の制御動作、選択動作等を実行する冗長方法又は唯一の方法を提供し得る。音声認識部は、所望の場合、様々な動作確認、モード確認、制御動作代替、測定結果等を音声出力によりユーザに提供し得るように、音又は声の合成を提供することもできる。音声認識部１３５は、特定の個人にカスタマイズされたカスタムコマンド及び／又は認識を作成可能なトレーニング及び／又はプログラミング能力を含むこともできる。一実施形態では、音声認識部１３５は、所望であれば、例えば、カリフォルニア州サンタ・クララに所在のSensory RTM Inc.から入手可能なＩＣのＲＳＣ−４Ｘ又はＳＶＣ−６４等の市販の音声認識回路、ソフトウェア、及び／又は開発ツールを使用して実施し得る。
【００１６】
特定の一実施形態例では、音声認識部１３５は、ゲージディスプレイの制御に関連するユーザからの音声コマンドを感知可能であり得る。より詳細には、リモート装置１５５に関連して以下により詳細に説明するように、ユーザは、音声コマンドをリモート装置に記録し、記録された音声コマンドに動作コマンド（例えば、表示形式又はモード選択肢）を割り当て得る。表示形式選択肢及び関連付けられた音声コマンドは、次に、可搬式測定ゲージ１０５のメモリ部１１５にダウンロードし保存し得る。次に、動作に際して、関連付けられた音声コマンドが音声認識部１３５により感知される場合、表示部１２５に、関連付けられた表示形式又はモード選択肢に従ってゲージディスプレイの表示をさせ得る。特定の説明のための例として、ユーザは、「単位変更」する音声コマンドを記録し得、ゲージディスプレイの表示はインチからｍｍに変更される。音声コマンドを記録して処理する技法は、米国特許出願第２０１０／００８８１００号により詳細に説明されている。
【００１７】
外部データ／制御インタフェース１４５は、リモート装置（例えば、リモート装置１５５）が好都合に可搬式測定ゲージ１０５とインタフェースし得るように、任意の所望のコネクタ構成と同様に、適した信号調整及び／又はインタフェースプロトコル回路を含み得る。外部データ／制御インタフェース１４５の部分は、信号処理・制御ユニット１２０により提供してもよく、又はユニット１２０と統合して、区別不可能であってもよい。外部データ／制御インタフェース１４５は、有線又は無線送／受信ユニットを含むこともでき、有線又は無線送／受信ユニットを使用して、可搬式測定ゲージ１０５と組み合わせて使用されるコンピュータ、命令、又は他の装置と情報を送信又は受信する。そのような装置は、例えば、テキストベースのプログラミングにより、より大きな計測システムに関連付けられた互換性を有するプログラム、若しくはＰＣに提供される他のプログラミングインタフェースにより、又は別個の同一若しくは互換性を有する可搬式測定ゲージにより可搬式測定ゲージ１０５から遠隔で作成されたプログラム又は命令を提供し得る。プログラム又は命令は、可搬式測定ゲージ１０５を使用して検査すべきワークピースに対応し得、外部データ／制御インタフェース１４５を通して信号処理・制御ユニット１２０の制御下でダウンロード又は実行し得る。
【００１８】
リモート装置１５５は、表示形式構成部１６０、メモリ部１７０、表示部１７５、処理部１８０、及びユーザ入出力装置部１８５を含む。表示形式構成部１６０は、いくつかの表示形式選択肢１６２−１〜１６２−Ｎ、ゲージディスプレイ部１６４、表示形式構成カスタマイズ部１６６、及びゲージデータ入出力・処理部１６８を含む。表示形式選択肢１６２−１〜１６２−Ｎを利用して、表示形式の様々な要素を提供するか、又は変更し得る。例えば、一実施形態では、表示形式選択肢は、可搬式測定ゲージにより実行されるワークピース測定に関連するか、又はワークピース測定を表す表示上の少なくとも１つの数字又は文字のサイズ、位置、向き、色、又は単位の変更のうちの少なくとも１つを制御し得る。特定の実施態様では、表示形式選択肢のうちの少なくとも１つは、少なくとも１つの視覚的インジケータ（図３の表示形式構成３１０Ｃに関してより詳細に後述するような、表示の周りを「回転」するポインタ等の測定特徴の非数字インジケータを意味する）の追加を表し得る。いくつかの実施形態では、少なくとも１つの表示形式選択肢は、ユーザがリモート装置１５５で変更し、次に、可搬式測定ゲージ１０５に表現し得る関数を表し得る（例えば、「ｉｆ  寸法＞３ｍｍ、ｔｈｅｎ  ＮＧ」又は「出力＝３．１４１５９*寸法」等）。いくつかの実施形態では、少なくとも１つの表示形式選択肢は、測定値のグラフィカル又は「外見上アナログな」表示を表現し得る（例えば、図３の表示形式構成３１０Ｃに関してより詳細に後述するように）。少なくとも１つの表示形式選択肢は、可搬式測定ゲージ１０５により実行される複数のワークピース測定の統計学的表示を表現し得る（例えば、図３の表示形式構成３１０Ｄに関してより詳細に後述するように）。
【００１９】
ゲージディスプレイ部１６４は、ゲージディスプレイ構成表現を当該リモート装置側の表示部（リモートディスプレイ）１７５に提示する。一実施形態では、ゲージディスプレイ部１６４は、任意の測定動作に対する挙動及び応答を表示部１７５上の表示形式構成で閲覧することができるように可搬式測定ゲージ１０５が利用される場合、表示部１７５上の表示形式構成を動作可能にする。より一般的には、可搬式測定ゲージ１０５が、表示部（ゲージディスプレイ）１２５及び表示部（リモートディスプレイ）１７５のうちの一方での変更が他方の表示でリアルタイムで模倣されるようにリモート装置１５５に結合された場合、リアルタイムリンクを確立することができる。
【００２０】
表示形式構成カスタマイズ部１６６は、入出力、メニュー等のカスタマイズを提供する。ゲージデータ入出力・処理部１６８は、様々な機能（例えば、ゲージ特徴ダウンロード、ゲージへの構成アップロード、リアルタイム表示対話、接続された場合にスレーブとしてのゲージの動作等）を提供する。これらの種類の機能のいくつかは、いくつかの実施形態では動作可能であり、他の実施形態では非動作可能である。
【００２１】
メモリ部１７０は、リモート装置により利用される常駐プログラム及び他のデータを含む。表示部１７５は、表示形式構成部１６０により提供される特徴を含む表示をリモート装置１５５に提供する。処理部１８０はリモート装置の信号処理及び制御を提供し、その一方で、ユーザ入出力装置部１８５は、様々なユーザ装置（例えば、可搬式測定ゲージ１０５）から制御信号および出力を受信し、且つ様々なユーザ装置に制御信号を提供する。
【００２２】
図２は、リモート装置の表示２２０と同期された可搬式測定ゲージの表示２１０を示す図である。なお、図２は、可搬式測定ゲージとしてインジケータの一種であるダイヤルゲージを例に用いた図である。図２に示されるように、表示２１０は、可搬式測定ゲージにより実行されるワークピース測定に基づく測定情報を示す構成可能ゲージディスプレイの表示２１１を含む。リモート表示２２０は、構成可能ゲージディスプレイの表示２１１と同様の外観を有する対応する表示形式構成２２１を有する。
【００２３】
定義された表示形式構成２２１は、境界線２２２、測定数値２２４、視覚的インジケータ２２６（測定特徴の非数字インジケータを意味する）、及び視覚的インジケータ２２８を含む。視覚的インジケータ２２６は、測定目盛りインクリメント２２６’を含む外見上アナログの許容差測定表現２２６を含み、測定目盛りインクリメント２２６’は、標的値に対する測定値（又は測定値の変化）に応答して不在と存在とで個々に切り替わる。視覚的インジケータ２２８は、「許容差内の」測定値に対応するカラーゾーン２２８’’（例えば、グリーンゾーン）と、「許容差外の」測定値に対応するカラーゾーン２２８’（例えば、レッドゾーン）とを含む許容差測定表現２２８を含む。各カラーゾーンは、標的値に対する測定値（又は測定値の変化）に応答して有色と無色とで切り替わり得る。リモート装置の表示２２０は、表示形式構成２２１に関連付けられた可搬式測定ゲージに含まれる手動押しボタンの概略ボタン表現２２９を含むこともできる。一実施形態では、リモート装置は、要素例２２２、２２４、２２６、及び２２８等に対応する１つ又は複数の表示形式選択肢を記憶するリモートメモリを含み得、表示形式選択肢は、リモート表示２２０上の表示形式構成２２１に表現し、カスタマイズする（所望の場合）ように選択可能であり得る。リモート装置が可搬式測定ゲージに結合される（例えば、有線又は無線接続により）場合、リモート装置は、定義された表示形式構成２２１と同様の外観を有するようにゲージディスプレイの表示２１１を再構成するように、可搬式測定ゲージに命令し得る（例えば、可搬式測定ゲージで動作するルーチンを支配する特定の制御パラメータをダウンロードするか、又は可搬式測定ゲージで動作するルーチンのすべて又は部分を置換する等により）。より詳細には、構成可能なゲージディスプレイの表示２１１で、測定数字２１４は、測定数字２２４と同様の外観を有するようになされ、視覚的インジケータ２１６及び２１８には、視覚的インジケータ２２６及び２２８と同様の外観がそれぞれ提供される。
【００２４】
特定の実施態様では、リモート表示は、ゲージディスプレイの表示を正確に反映するようになされる（例えば、画面計上、ピクセル特徴等の点で）。特定の説明のための例として、表示２１０の外周２１２は、表示形式構成２２１の境界線２２２で示されるように模倣される。特定の実施形態では、可搬式測定ゲージの内部特徴がダウンロードされるか、又は識別子がダウンロードされて、リモート表示のホストに常駐する対応する可搬式測定ゲージ構成ファイルを呼び出して、特定の表示形式選択肢及びリモート装置に提示される他の特徴をアクティブ化するか、又は非アクティブ化する。一例として、ゲージディスプレイの表示のカスタマイズ選択肢を制限するゲージディスプレイピクセル構成又はカスタムＬＣＤセグメント構成をダウンロードするか、又は呼び出し得る。別の例として、可搬式測定ゲージにトゥルーピークホールド機能がある場合、表示形式選択肢をとしてリモート装置に提供し得る。別の例として、可搬式測定ゲージが手動制御ボタン（例えば、ボタン２１９）を含む場合、手動制御ボタンを表示２２０上で模倣し、且つ／又は動作し得、且つ／又はそれらの機能は、表示形式構成２２１を変更するプロセスの一環として変更し得る。別の例として、可搬式測定ゲージが十分なメモリ性能を有する場合、統計学的表示選択肢、最大／最小読み取り値等に対応する表示形式選択肢を表現し得る。
【００２５】
さらに、特定の実施態様では、可搬式測定ゲージの様々な他の表示特徴をリモート装置にダウンロードして、リモート表示上の表示形式構成２２１で模倣し得る。例えば、表示２１０がゲージ上のカラー表示である場合、表示形式構成２２１もそれに対応してカラーであり得る。特定の実施態様では、リモート装置はいくつかのゲージモデルを含み得、可搬式測定ゲージの特徴は、どのゲージモデルを表示形式構成２２１の選択肢として提示し得るかを判断する際に基づくものとしてダウンロードし得る。特定の実施形態では、リモート装置は、構成可能ゲージディスプレイの表示２１１に対応する現在のパラメータセットをダウンロードして保存することもでき、それにより、変更がなされた後、所望の場合、可搬式測定ゲージを前の構成に戻すことができる。
【００２６】
特定の実施形態では、リモート装置上の表示形式構成２２１は、任意の測定動作に応答しての挙動を表示形構成２２１で閲覧可能なように可搬式測定ゲージが使用される場合、動作可能になり得る。特定の説明のための例として、ワークピース測定を表す測定数字２１４が変化した場合、対応する変化を表示形式構成２２１内の測定数字２２４で模倣し得る。特定の実施形態では、そのような模倣動作は、そのような可搬式測定ゲージの「彷徨うインタフェース端末」として利用し得る。より一般には、可搬式測定ゲージが、ゲージディスプレイの表示及びリモートディスプレイの表示のうちの一方での変更が他方の表示でリアルタイムで模倣されるようにリモート装置に結合された場合、リアルタイムリンクを確立し得る。
【００２７】
特定の実施形態では、リモート装置は、有線又は無線接続のうちの少なくとも一方により第１の可搬式測定ゲージに結合するように構成し得、続けて又は同時に、有線又は無線接続のうちの少なくとも一方により、少なくとも１つの第２の可搬式測定ゲージに結合することもでき、第２の可搬式測定ゲージは、第１の可搬式測定ゲージのゲージディスプレイと同様の構成可能なゲージディスプレイを含む。次に、ユーザが、リモート装置を使用して、上述したような動作を実行して、第１の可搬式測定ゲージの表示形式構成を定義する場合、リモート装置は、第１の可搬性測定ゲージと同様のゲージディスプレイの表示を有するように、第２の可搬式測定ゲージのゲージディスプレイの表示を再構成するように第２の可搬式測定ゲージに命令するようにさらに構成される。
【００２８】
図３は、可搬式測定ゲージの様々な表示形式構成３１０Ａ〜３１０Ｄを示す図である。図３に示されるように、表示形式構成３１０Ａは可搬式測定ゲージで模倣され、図２の表示形式構成２２１と同様である。表示形式構成３１０Ｂは、付番されたインクリメントを有する円形目盛り及び目盛り上の測定値を指す外見上アナログポインタを、標的測定値（例えば、既知の方法に従って可搬式測定ゲージの横又は正面にあるボタンを使用して設定し得る標的値）からのずれを表現する測定数字並びに中央に配置された許容差表現の入／出力を含む視覚的インジケータ（例えば、視覚的インジケータ２２８等）と共に含む視覚的インジケータを示す。表示形式構成３１０Ｃは、「回転」して測定値を示す、中央の外見上アナログポインタ要素と共にインクリメントされた円形目盛りを示す。表示形式構成３１０Ｄは、統計学的測定データの数値表現と共にグラフィカル表示を提供する。一実施形態では、表示形式構成３１０Ｄは、可搬式測定ゲージを用いて行われた複数の測定の棒グラフ又は他のグラフィカル表現を提供し得る。可搬式測定ゲージのゲージディスプレイがタッチスクリーン型である場合、表示形式構成３１０Ｄは、表示形式構成３１０Ｄで「Ｅｎｔｅｒ（入力）」及び「Ｕｎｄｏ（元に戻す）」と記されたタッチセンシティブ「ソフト」制御ボタン表現を含むこともできる。そのようなボタン表現の位置、外観、機能、及びラベルを、構成可能ゲージ表現の他の特徴に関して上述した様式と同じ様式で模倣し構成し得ることが理解されよう。
【００２９】
図４は、リモート装置を利用して、可搬式測定ゲージ上の表示を再構成するルーチン４００の例示的な一実施形態を示す流れ図である。図４に示されるように、ブロック４１０において、物理的寸法を測定し、構成可能なゲージディスプレイを含む可搬式測定ゲージが提供される。ブロック４２０において、リモートメモリ及びリモートディスプレイを含むリモート装置が提供され、リモートメモリは、リモートディスプレイ上に表示形式構成で表現されるように選択可能な１つ又は複数の表示形式選択肢を記憶する。ブロック４３０において、リモート装置は可搬式測定ゲージに結合される。ブロック４４０において、表示形式構成はリモート装置を使用して定義される。ブロック４５０において、ゲージディスプレイの表示は、リモート装置上の定義された表示形式構成と同様の外観を有するように再構成される。
【００３０】
図５は、特定の表示形式選択肢例を示すルーチン５００の例示的な一実施形態を示す流れ図である。図５に示されるように、ブロック５１０において、表示形式構成が、リモート装置（例えば、ＰＣ、ラップトップ、タブレット、スマートフォン等）の変更のために開かれる。判断ブロック５１５において、任意の文字の外観を変更すべきか否かが判断される。任意の文字を変更すべき場合、ルーチンはブロック５２０に続き、数字又は文字のサイズ、位置、向き、色、又は単位が変更される。文字を変更すべきではない場合、ルーチンは判断ブロック５２５に続く。
【００３１】
判断ブロック５２５において、任意の視覚的インジケータを追加すべきか否かが判断される。任意の視覚的インジケータを追加すべき場合、ルーチンはブロック５３０に続き、視覚的インジケータが追加される。視覚的インジケータを追加すべきではない場合、ルーチンは判断ブロック５３５に続く。
【００３２】
判断ブロック５３５において、任意の関数を追加すべきか否かが判断される。任意の関数を追加すべき場合、ルーチンはブロック５４０に続き、様々な種類のプログラムされた関数が、特定の検査ニーズに従って追加される（例えば、「ｉｆ  寸法＞３ｍｍ、ｔｈｅｎ  ＮＧ」又は「出力＝３．１４１５９*寸法」等）。関数を追加すべきではない場合、ルーチンは判断ブロック５４５に続く。
【００３３】
判断ブロック５４５において、データのグラフィカル表示を挿入すべきか否かが判断される。グラフィカル表示を挿入すべき場合、ルーチンはブロック５５０に続き、データのグラフィカル表示が挿入される。グラフィカル表示を挿入すべきではない場合、ルーチンは判断ブロック５５５に続く。
【００３４】
判断ブロック５５５において、複数のデータ点の統計学的表示を挿入すべきであるか否かが判断される。統計学的表示を挿入すべき場合、ルーチンはブロック５６０に続き、複数のデータ点の統計学的表示が挿入される。統計学的表示を挿入すべきではない場合、ルーチンは終了する。
【００３５】
図６は、可搬式測定ゲージを再構成する音声コマンドを記録するルーチン６００の例示的な一実施形態を示す流れ図である。図６に示されるように、ブロック６１０において、ユーザは音声コマンドをリモート装置に記録する。ブロック６２０において、動作コマンドが記録に割り当てられる。ブロック６３０において、音声／動作対が可搬式測定ゲージにダウンロードされる。次に、ユーザは、記録された音声コマンドを利用して、可搬式測定ゲージ上の表示及び／又は動作モードを制御し得る。「単位変更」（例えば、インチからｍｍに）の音声コマンドが記録される特定の動作例として、ユーザは、このコマンドを可搬式測定装置に向けて発話し得、次に、測定のインチからｍｍへの変更が表示上に示される。
【００３６】
上述した実施形態により、ユーザが、個人のニーズに従って可搬式測定ゲージの表示の外観及び機能を独立して変更可能なことが理解されよう。リモート装置の利用により、表示サイズが一般に小さく、タッチスクリーン動作の実施が難しい可搬式測定ゲージであっても、表示パラメータを容易に選択し変更することができる。特定の実施態様では、リモート装置は、上述した表示再構成動作のうちの特定の動作を実施するために、スキン（skin）、編集可能／選択可能なスキン構成要素、ビットマップ編集能力等を含み得る。再構成要素について、リモート装置のメモリに記憶されるものとして一般に説明したが、そのような再構成要素は他のロケーション（例えば、インターネット等）に常駐してもよく、リモート装置は、主要パラメータを渡すリンクとして機能する。
【００３７】
上記から、本発明の特定の実施形態について説明のために本明細書に説明したが、本発明の範囲から逸脱せずに様々な変更を行い得ることが理解されよう。したがって、本発明は、添付の特許請求の範囲による以外、限定されない。
【符号の説明】
【００３８】
１００・・・表示構成システム、１０５・・・可搬式測定ゲージ、１１０・・・センサ部、１１５、１７０・・・メモリ部、１２０・・・信号処理・制御ユニット、１２５・・・表示部（ゲージディスプレイ）、１３０・・・ユーザ制御要素、１３５・・・音声認識部、１４０・・・電源、１４５・・・外部データ／制御インタフェース、１５５・・・リモート装置、１６０・・・表示形式構成部、１６２−１〜１６２−Ｎ・・・表示形式選択肢、１６４・・・ゲージディスプレイ部、１６６・・・表示形式構成カスタマイズ部、１６８・・・ゲージデータ入出力・処理部、１７５・・・表示部（リモートディスプレイ）、１８０・・・処理部、１８５・・・ユーザ入出力装置部、２１０・・・可搬式測定ゲージの表示、２１１・・・ゲージディスプレイの表示、２２０・・・リモート装置の表示、２２１・・・表示形式構成、２２２・・・境界線、２２４・・・測定値数字、２２６、２２８・・・視覚的インジケータ、２２６’・・・測定目盛りインクリメント、２２８’、２２８’’・・・カラーゾーン、２２９・・・概略ボタン表現
【図１】
2014032195.tif 000003
【図２】
2014032195.tif 000004
【図３】
2014032195.tif 000005
【図４】
2014032195.tif 000006
【図５】
2014032195.tif 000007
【図６】
2014032195.tif 000008